【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
イオンパケットを捕捉するための等時性静電捕捉器と、
イオン振動周波数を検出するための像電流検出器と、
イオン選択電極であって、当該イオン選択電極でのイオン選択は当該イオン選択電極へ印加される周期的な一連のパルスの印加によって達成される、イオン選択電極と、
表面誘起解離のための面であって、前記静電捕捉器の第１のＺ端か又は前記静電捕捉器の第２のＺ端のどちらかに隣接している前記電極のうちの１つの電極内に存在する面と、
を備えているＭＳ−ＭＳ分析のための静電捕捉器において、
前記等時性静電捕捉器は、無場領域によって隔てられた電極から成る少なくとも２つの平行な電極組を備え、前記電極組と前記無場領域はＺ方向に前記第１のＺ端から前記第２のＺ端へ延ばされており、前記Ｚ端同士は等時性に配列されている、
ＭＳ−ＭＳ分析のための静電捕捉器。
【請求項２】
前記周期的なパルスは或る特定のイオン成分の振動時間に合わせて設定された期間を有している、請求項１に記載のＭＳ−ＭＳ分析のための静電捕捉器。
【請求項３】
前記静電捕捉器は平面状の静電捕捉器か又は円筒状の静電捕捉器のどちらかを備えている、請求項１に記載のＭＳ−ＭＳ分析のための静電捕捉器。
【請求項４】
前記Ｚ端は、Ｚ偏向電極と、補助的なくさび電極か又は捕捉器ミラー電極の局所的幾何学歪みのどちらかによる前記静電捕捉器の二次元場の弱い歪みと、を備える組み合わされた作用によって等時性に配列されている、請求項１に記載のＭＳ−ＭＳ分析のための静電捕捉器。
【請求項５】
前記静電捕捉器は少なくとも１つの補助的な電極を更に備えており、前記静電捕捉器は、前記Ｚ方向に、イオン振動の等時性を維持しながらも少なくとも１つのイオン振動体積を少なくとも１つの断片化体積から分離するように配列されている弱い電位バリアを備えており、前記表面断片化面は前記断片化体積内に設けられており、前記励起電極がイオン運動を前記Ｚ方向に偏向させる又は励起する、請求項１に記載のＭＳ−ＭＳ分析のための静電捕捉器。
【請求項６】
前記無場領域内に存在する偏向器であってイオンを前記面の反復的打ち付けの経路から偏向させるように配列されている偏向器を更に備えている請求項１に記載のＭＳ−ＭＳ分析のための静電捕捉器。
【請求項７】
複数の静電捕捉体積を更に備えている請求項１に記載のＭＳ−ＭＳ分析のための静電捕捉器。
【請求項８】
振動イオンパケットを静電イオン捕捉器内に閉じ込める段階であって、当該閉じ込めが結果的に前記静電イオン捕捉器の振動空間内での反復的イオンパケット振動を生じさせることになる、閉じ込める段階と、
前記振動イオンパケットから、前記振動空間からの射出のためのイオンを選択する段階であって、当該選択されたイオンは断片化面へ射出されることになる、イオンを選択する段階と、
前記選択されたイオンを断片へ断片化する段階と、
前記断片を加速して前記静電イオン捕捉器の前記振動空間の中へ戻す段階と、を備えているＭＳ−ＭＳ分析のための方法において、
前記静電イオン捕捉器は少なくとも２つの平行な電極組を備えており、前記イオン断片化の段階は前記静電イオン捕捉器の前記電極のうちの１つの電極内の前記振動空間の外に存在する前記断片化面にて起こる、ＭＳ−ＭＳ分析のための方法。
【請求項９】
前記静電イオン捕捉器は、前記振動空間の外に存在する偏向器であって前記断片加速段階を達成するべくイオンを偏向させるように配列されている偏向器を備えている、請求項８に記載の方法。
【請求項１０】
周期信号が前記電極へ印加される、請求項８に記載の方法。
【請求項１１】
前記周期信号は前記電極へ印加され当該周期信号と前記振動イオンパケットの周波数の間に共鳴を引き起こして前記イオン選択の段階を達成させる、請求項１０に記載の方法。
【請求項１２】
前記静電イオン捕捉器は前記振動空間内に存在する１つ又はそれ以上の励起電極を備えており、イオンを偏向させる又はイオンを加速するための一連の周期的な短いパルスが少なくとも１つの励起電極又は前記１つ又はそれ以上の励起電極へ印加される、請求項８に記載の方法。
【請求項１３】
前記１つ又はそれ以上の励起電極は前記イオンの前記Ｚ方向への共鳴励起を提供する、請求項１２に記載の方法。
【請求項１４】
クロマトグラフ、
前記クロマトグラフの下流に配列されている第１の質量分析計、
前記第１の質量分析計からのイオンを断片化するための断片化セル、
直線状のＺ方向又は湾曲したＺ方向に引き伸ばされたパルス変換器、
像電流検出器と飛行時間検出器のうちの少なくとも一方を備える直線状のＺ方向又は湾曲したＺ方向に引き伸ばされた静電捕捉器、
を備えている質量分析法装置。
【請求項１５】
前記Ｚ方向は前記静電捕捉器が円筒状の静電捕捉器を備えるように湾曲している、請求項１４に記載の装置。
【請求項１６】
前記円筒状の静電捕捉器は当該円筒状静電捕捉内の半径方向イオン変位を補正するように配列されているリング電極を更に備えている、請求項１５に記載の装置。
【請求項１７】
順次的に前記クロマトグラフと前記第１の質量分析計の間に配列されているイオン源を更に備えている請求項１４に記載の装置。
【請求項１８】
前記イオン源は、次の群、即ち、
（ｉ）エレクトロスプレイ、
（ｉｉ）大気圧化学イオン化、
（ｉｉｉ）大気圧光イオン化、
（ｉｖ）マトリックス支援レーザー脱離及びイオン化、
（ｖ）電子衝撃、及び、
（ｖｉ）誘導結合プラズマ、
のうちの１つを備えている、請求項１７に記載の装置。
【請求項１９】
順次的に前記断片化セルと前記パルス変換器の間に配列されている気体高周波イオンガイドを更に備えている、請求項１４に記載の装置。
【請求項２０】
前記クロマトグラフは、次の群、即ち、
（ｉ）液体クロマトグラフ（ＬＣ）、
（ｉｉ）ガスクロマトグラフ（ＧＣ）、
（ｉｉｉ）キャピラリ電気泳動分離器（ＣＥ）、及び、
（ｉｖ）ＧＣｘＧＣ、ＬＣｘＬＣ、又はＬＣｘＣＥの様なタンデム型クロマトグラフ、
のうちの１つを備えている、請求項１４に記載の装置。
【請求項２１】
前記第１の質量分析計は四重極質量分析計である、請求項１４に記載の装置。
【請求項２２】
前記断片化セルは、表面誘導解離のための面であって前記第１の質量分析計のイオン振動領域に隣接して存在する面を備えている、請求項１４に記載の装置。
【請求項２３】
前記第１の質量分析計は前記イオン振動領域内に存在する１つ又はそれ以上の励起電極を備えており、イオンを偏向させる又はイオンを加速するための一連の周期的な短いパルスが少なくとも１つの励起電極又は前記１つ又はそれ以上の励起電極へ印加される、請求項２２に記載の装置。
【請求項２４】
前記装置によって生成されるＭＳ−ＭＳデータは、次の群、即ち、
（ｉ）親質量及び個々のＭＳ−ＭＳ段の継続時間が親質量スペクトルに基づいて選択されるというデータ依存分析、
（ｉｉ）高取得速度での全質量ＭＳ−ＭＳ分析、及び、
（ｉｉｉ）親イオン質量及び充填時間が高分解能分析のために中分解能での全質量ＭＳ−ＭＳ分析に基づいて選択されるというデータ依存分析、
のうちの少なくとも１つの戦略を使用して分析される、請求項１４に記載の装置。
【請求項２５】
前記静電捕捉器は、引き伸ばされた体積のアレイを形成している複数組の引き伸ばされたスリットを有する分析部電極の組を備えており、前記体積の各々は前記Ｚ方向に延ばされたＸ−Ｙ平面内二次元静電場を形成している、請求項１４に記載の装置。
【請求項２６】
前記静電捕捉器及び前記パルス変換器はどちらも多重化されており、前記装置は前記多重化されたパルス変換器間に多重化されている複数のイオン源を更に備えている、請求項１４に記載の装置。
【請求項２７】
可変イオン束をイオンガイドの中へ入射させる段階と、
前記イオンガイドから少なくとも１つの変換器の中への瞬時的なイオン電流を測定する段階と、
前記少なくとも１つの変換器の中へのイオン流れの継続時間を、当該少なくとも１つの変換器を事前に設定されている目標数の電荷で満たすために調節する段階と、
前記少なくとも１つの変換器から少なくとも１つの静電捕捉器の中へイオンを射入する段階と、
前記少なくとも１つの静電捕捉器内のデータ取得時間を前記イオン流れの継続時間に等しく調節する段階と、
を備えている静電捕捉器作動の利得調節の方法。
【請求項２８】
前記少なくとも１つの静電捕捉器は、単一イオン流に関して並行に作動する複数の静電捕捉器を備えている、請求項２７に記載の方法。
【請求項２９】
前記少なくとも１つの静電捕捉器は、単一イオン流の異なったタイムスライス（time slices）について作動する複数の静電捕捉器を備えている、請求項２７に記載の方法。
【請求項３０】
前記異なったタイムスライスは複数の多重化された変換器内に蓄積され、各多重化された変換器は複数の第２段並行静電捕捉器の中への同時射入のための単一電圧パルスを受信する、請求項２９に記載の方法。
【請求項３１】
ＭＳ−ＭＳ分析のための静電捕捉器において、
無場領域によって隔てられた電極から成る少なくとも２つの平行な電極組であって、当該電極と当該無場領域はＺ方向に前記静電捕捉器の第１のＺ端から前記静電捕捉器の第２のＺ端へ延ばされている、少なくとも２つの平行な電極組と、
表面誘導解離のための面であって前記第１のＺ端と前記第２のＺ端のうちの一方に隣接している前記電極のうちの１つの電極内に存在する面と、
イオン選択電極であって、当該イオン選択電極でのイオン選択は当該イオン選択電極へ印加される一連のパルスの印加によって達成される、イオン選択電極と、
を備えているＭＳ−ＭＳ分析のための静電捕捉器。
【請求項３２】
前記無場領域内に存在する偏向器であってイオンを前記面の反復的打ち付けの経路から偏向させるように配列されている偏向器を更に備えている請求項３１に記載のＭＳ−ＭＳ分析のための静電捕捉器。
【請求項３３】
周期信号が前記電極へ印加される、請求項３１に記載のＭＳ−ＭＳ分析のための静電捕捉器。
【請求項３４】
前記周期信号は前記電極へ印加され当該周期信号とイオン運動周波数の間に共鳴を引き起こして前記面で捕集されるイオンが選択されるようにする、請求項３３に記載のＭＳ−ＭＳ分析のための静電捕捉器。
【請求項３５】
前記静電イオン捕捉器は前記無場領域内に存在する１つ又はそれ以上の励起電極を更に備えており、イオンを偏向させる又はイオンを加速するための一連の周期的な短いパルスが少なくとも１つの励起電極又は前記１つ又はそれ以上の励起電極へ印加される、請求項３１に記載のＭＳ−ＭＳ分析のための静電捕捉器。
【請求項３６】
前記１つ又はそれ以上の励起電極は前記イオンの前記Ｚ方向への共鳴励起を提供する、請求項３５に記載のＭＳ−ＭＳ分析のための静電捕捉器。
【請求項３７】
前記一連のパルスは周期的なパルスを備えている、請求項３１に記載のＭＳ−ＭＳ分析のための静電捕捉器。
【請求項３８】
前記周期的なパルスは或る特定のイオン成分の振動時間に合わせて設定された期間を有している、請求項３７に記載のＭＳ−ＭＳ分析のための静電捕捉器。